(57)【要約】  エレキギターは、ギター本体の凹部の中に少なくとも１つのピックアップ（１）を含む。このピックアップ（１）は取り付けフレーム（４）に設定でき、電気接点を有して、ケーブルを介しギター本体の出力ポートに通じる。ピックアップ（１）は、その裏側に固定プレート（１４）を有し、ねじ山付きブッシュ（１６）を介してピックアップ（１）のベースプレート（８）から可変距離で、ピックアップ（１）の高さ調整装置（１８）にねじ止めされる。ピックアップ（１）は、ピックアップ（１）のコイルに電気的に接続されたばね装填ピン（２３）を含む。固定プレート（１４）は、ピックアップフレーム（４）の凹部の中に、ギター本体（３）の裏からツールなしで挿入することができ、ツールなしでピックアップフレーム（４）から取り外すことができる。ピックアップ（１）が挿入されるとき、固定プレート（１４）のピンは、取り付けフレームの電気接点（５）に接続され、固定プレート（１４）は、永久磁石によって取り付けフレーム（４）に保持される。【選択図】図７
2021510423.tif 000002
【特許請求の範囲】
【請求項１】
ギター本体（３）の連続した凹部（２）の中に少なくとも１つのピックアップ（１）を伴うエレキギターであって、前記ピックアップ（１）は、前記ギター本体（３）の裏から前記凹部（２）にツールなしで挿入することができ、その嵌合部は、前記ピックアップ（１）のコイルと前記凹部（２）の端子との間の電気接点を閉じ、ケーブルを介して前記ギター本体（３）の出力ポート（７）に通じること、ならびに、前記ピックアップ（１）をツールなしで手によって外せるよう、前記凹部（２）のパスポート座部に保持されること、を特徴とする、ギター本体（３）の連続した凹部（２）の中に少なくとも１つのピックアップ（１）を伴うエレキギター。
【請求項２】
前記ピックアップ（１）は、少なくとも１つの永久磁石（１３）によって、滑り嵌合部に保持されることを特徴とする、請求項１に記載のギター本体（３）の連続した凹部（２）の中に少なくとも１つのピックアップ（１）を伴うエレキギター。
【請求項３】
前記ピックアップ（１）は、機械式のばね装填掛止機構によって、滑り嵌合部に保持されることを特徴とする、請求項１に記載のギター本体（３）の連続した凹部（２）の中に少なくとも１つのピックアップ（１）を伴うエレキギター。
【請求項４】
前記ピックアップ（１）は、前記凹部（２）の上に部分的に押し込まれ得る機械式スライダによって、または前記凹部（２）の上で部分的に枢動され得る回転ディスクによって滑り嵌合部に保持されることを特徴とする、請求項１に記載のギター本体（３）の連続した凹部（２）の中に少なくとも１つのピックアップ（１）を伴うエレキギター。
【請求項５】
前記ピックアップ（１）は、電気接点（５）を有する受け入れフレーム（４）に取り付けることができ、前記電気接点（５）は、ケーブルを介して前記ギター本体（３）の前記出力ポート（７）に通じ、前記ピックアップ（１）は、その裏側にベースプレート（８）を有し、前記ベースプレート（８）は、前記ピックアップ（１）の前記ベースプレート（８）からの変化する距離で、固定プレート（１４）によって前記ピックアップ（１）に機械的かつ電気的に接続され、前記固定プレート（１４）は、ツールなしで前記ギター本体（３）の裏側（９）から前記受け入れフレーム（４）の中に挿入することができ、次にその中で磁気によって保持され、ツールなしで前記受け入れフレーム（４）から再び取り外すことができ、前記ピックアップ（１）が挿入された状態のときに、各コイル（１１）の電気取り出し部（１０）の各々は、固定プレート（１４）のばね装填ピン（２３）を介して前記受け入れフレーム（４）の前記電気接点（５）との電気接触を閉じることを特徴とする、請求項１または２に記載のギター本体（３）の連続した凹部（２）の中に少なくとも１つのピックアップ（１）を伴うエレキギター。
【請求項６】
前記受け入れフレーム（４）は、両端側の各々に側部ホルダ（１２）を形成し、前記側部ホルダ（１２）は、磁気固定プレート（１４）のために機械式嵌合座部を形成して、挿入された前記磁気固定プレート（１４）を保持するための永久磁石（１３）が装備され、一方の前記側部ホルダ（１２）には、ケーブルを介して前記ギター本体（３）の前記出力ポート（７）に接続される電気接点（５）が装備され、前記ピックアップ（１）の前記コイル（１１）の各々における前記電気取り出し部（１０）は、前記固定プレート（１４）の前記ばね装填ピン（２３）に導かれ、前記ばね装填ピン（２３）の各々は、ピックアップフレーム（４）の前記側部ホルダ（１２）における前記電気接点（５）を用いて電気接触を閉じることを特徴とする、請求項１、２、または５のうちいずれか一項に記載のギター本体（３）の連続した凹部（２）の中に少なくとも１つのピックアップ（１）を伴うエレキギター。
【請求項７】
前記受け入れフレーム（４）の各両側は、２つのねじ（１５）でねじ止めされた側部ホルダ（１２）を含み、各側で２つの前記ねじ（１５）が前記側部ホルダ（１２）の端部領域を貫通すること、前記側部ホルダ（１２）は、磁気固定プレート（１４）の機械式嵌合座部を形成し、各前記側部ホルダ（１２）には、挿入された前記磁気固定プレート（１４）を保持するための２つの永久磁石（１３）が装備されること、及び、２つの前記側部ホルダ（１２）のうちの一方には電気接点（５）が設けられ、前記電気接点（５）はケーブルを介して前記ギター本体（３）の前記出力ポート（７）に接続され、前記ピックアップ（１）の前記コイル（１１）における各々の前記電気取り出し部（１０）は、前記固定プレート（１４）のばね装填ピン（２３）に通じ、前記ばね装填ピン（２３）の各々は、前記ピックアップ（１）が挿入されると、前記受け入れフレーム（４）の前記側部ホルダ（１２）における前記電気接点（５）を用いて電気接触を閉じること、を特徴とする、請求項１、２、または５、６のうちいずれか一項に記載のギター本体（３）の連続した凹部（２）の中に少なくとも１つのピックアップ（１）を伴うエレキギター。
【請求項８】
前記固定プレート（１４）の前記ベースプレート（８）は、ねじ山付きブッシュ（１６）を有する前記固定プレート（１４）によって、前記ピックアップ（１）から変化する距離で前記ピックアップ（１）の前記ベースプレート（８）に接続され、それによって前記ピックアップ（１）の高さ調整装置（１８）のねじ山（１７）の上にねじ止めすることができること、及び、前記固定プレート（１４）は、垂直に突出するよう前記ベースプレート（８）に装着されたガイドピン（２０）のための受け入れ穴（１９）を有し、それによって前記高さ調整装置（１８）が前記固定プレート（１４）の自由側で回転されるとき、前記固定プレート（１４）と前記ベースプレート（８）したがって前記ピックアップ（１）との間の距離は細かく調整することができ、それによって前記エレキギターの弦（２２）から前記ピックアップ（１）のピックアップ（２１）までの距離を変化させることができること、を特徴とする、請求項１、２、または５〜７のうちいずれか一項に記載のギター本体（３）の連続した凹部（２）の中に少なくとも１つのピックアップ（１）を伴うエレキギター。
【請求項９】
前記ピックアップ（１）の前記コイル（１１）の前記電気取り出し部（１０）は、前記固定プレート（１４）を介してピックアップフレーム（４）における接点（５）を用いて電気接触を閉じること、４つのばね装填ピン（２３）は、前記固定プレート（１４）に配置され、そこから直角に突出して離れ、前記固定プレート（１４）が前記受け入れフレーム（４）またはその側部ホルダ（１２）に設置されると、４つの前記ばね装填ピン（２３）は接点（５）の中に嵌合し、前記電気接点（５）と組み合わされて、前記電気接点（５）の各々は前記ばね装填ピン（２３）を受け入れるための窪み（２４）を形成すること、を特徴とする、請求項１、２、または５〜８のうちいずれか一項に記載のギター本体（３）の連続した凹部（２）の中に少なくとも１つのピックアップ（１）を伴うエレキギター。
【請求項１０】
フレームは、プラスチックで作られた単一の射出成形部材として設計され、すなわち前記受け入れフレーム（４）、ならびに、その上に直接載る側部ホルダ（１２）、及びその上に設置される前記固定プレート（１４）もプラスチックの射出成形部材であり、それは前記フレームの中に正確に嵌合し、端部カム（２９）間の前記フレームに正確に嵌合し、前記嵌合部に永久磁石（１３）によって保持されることを特徴とする、請求項１に記載のギター本体（３）の連続した凹部（２）の中に少なくとも１つのピックアップ（１）を伴うエレキギター。
【請求項１１】
前記ギター本体（３）は、ピックアップ（１）を挿入するための２つまたは３つの凹部（２）を有し、タッチスクリーン（２５）は前記ギター本体（３）の表側（９）に配置されること、及び電子回路（６４）が前記ギター本体（３）の中または上に存在し、それによって指を前記タッチスクリーン（２５）上で、より大きくまたはより小さく動かすことによって、個々の前記ピックアップ（１）、すなわちブリッジピックアップと、存在する場合は中間位置ピックアップと、ネックピックアップとを、連続してオンまたはオフに切り替えられることを特徴とする、請求項１〜１０のうちいずれか一項に記載のギター本体（３）の連続した凹部（２）の中に少なくとも１つのピックアップ（１）を伴うエレキギター。
【請求項１２】
前記ギター本体（３）は、ピックアップ（１）を挿入するための２つまたは３つの凹部（２）を有し、タッチスクリーン（２５）は前記ギター本体（３）の表（９）に配置されること、ならびに電子回路（６４）が前記ギター本体（３）の中または上に存在し、それによって前領域及び中間部で同時に前記タッチスクリーン（２５）に触れることによって、ネックピックアップを直ちにオンに切り替え、かつ同時にブリッジピックアップをオフに切り替え、この配列で再び触れると、前記ブリッジピックアップは再びオンに切り替えられ、逆に同時に前記タッチスクリーン（２５）の中間部及び後領域を触れると、前記ブリッジピックアップは直ちにオンに切り替えられ、かつ同時に前記ネックピックアップはオフに切り替えられ、再びこの配列で触れると、前記ネックピックアップは再びオンに切り替えられることを特徴とする、請求項１〜１１のうちいずれか一項に記載のギター本体（３）の連続した凹部（２）の中に少なくとも１つのピックアップ（１）を伴うエレキギター。
【請求項１３】
請求項１〜１２のうちいずれか一項に記載のエレキギターのための、ピックアップ要素であって、前記ピックアップ（１）の前記高さ調整装置（１８）のねじ山付きブッシュ（１６）と、前記ピックアップ（１）の前記ベースプレート（８）の前記ガイドピン（２０）のための受け入れ穴（１９）と、を伴う固定プレート（１４）を有し、前記固定プレート（１４）は、関連する受け入れフレーム（４）に、ツールなしで手によって挿入可能で、前記受け入れフレーム（４）は、ギター本体（３）の連続したピックアップ凹部（２）に裏側（６）から設定するよう意図され、前記固定プレート（１４）のための嵌合座部を形成し、ツールなしで再び前記受け入れフレーム（４）から解放できることを特徴とする、ピックアップ要素。
【請求項１４】
前記ピックアップ（１）の前記高さ調整装置（１８）のねじ山付きブッシュ（１６）と、前記ピックアップ（１）の前記ベースプレート（８）における前記ガイドピン（２０）のための受け入れ穴（１９）と、を伴う強磁性体の固定プレート（１４）を備え、前記固定プレート（１４）は、前記ピックアップ（１）の前記コイルに電気的に接続された、ばね装填ピン（２３）を有し、前記ピックアップ要素は、ねじ止めされた側部ホルダ（１２）を伴う関連の受け入れフレーム（４）をさらに含み、前記側部ホルダ（１２）の各々には２つの永久磁石（１３）が装備され、強磁性体の前記固定プレート（１４）のための嵌合座部を形成すること、強磁性体の前記固定プレート（１４）を伴う前記ピックアップ（１）を、ツールなしで手によって前記嵌合座部の中に挿入し、その中に磁気によって保持され、そうすることで前記ばね装填ピン（２３）は、前記側部ホルダ（１２）の前記電気接点（５）を用いて電気接触を閉じること、ならびに前記ピックアップ（１）を伴う前記固定プレート（１４）は、ツールなしで前記嵌合座部から解放され得ること、を特徴とする、請求項１、２、または５〜１２のうちいずれか一項に記載のエレキギターのための、請求項１３に記載のピックアップ要素。
【請求項１５】
２つの側部ホルダ（１２）は、前記受け入れフレーム（４）上に支持された圧力ばね（６８）を用いて、前記受け入れフレーム（４）にねじ止めされ、それによってねじ（１５）を調整することによって、前記側部ホルダ（１２）の前記受け入れフレーム（４）に対する位置を調整することで、挿入された前記ピックアップ（１）の傾斜、したがってピックアップ（２１）からの様々な弦（２２）までの距離を調整できることを特徴とする、請求項１、２、または５〜１２のうちのいずれか一項に記載のエレキギターのための、請求項１３または１４に記載のピックアップ要素。
【発明の詳細な説明】
【技術分野】
【０００１】
エレキギターは、広範な音を生成することができ、それらの音は弦の振動によって生成され、それらは次に電気的に増幅される。従来のエレキギターには、１つまたは２つの所謂ピックアップが装備され、それらは、弦の真下のギター本体において、ギターネックの頸部の間、すなわちフィンガーボードの後端部とブリッジとの間に設置される。所謂ピックアップの各ピックアップ部は、磁心の周りに光沢のある銅線が数千回巻かれた電気コイルで構成され、コイルの両端部は絶縁ケーブルを介してアンプシステムに電気的に接続される。コイルの一方の端部に近い弦の振動は、弦の振動によって変質された磁束によって、コイルに電流を誘導する。この電流は、アンプシステムによって電気的に音を生成するために使用され、次にアンプシステムは、増幅された電気信号をスピーカに送る。振動する弦による磁束の変化が非常に小さくても、対応する高い巻き数により、一般に数十ミリボルトから数百ミリボルトの電圧を生成するためには十分である。電界強度の変化すなわち誘発される電圧は、弦が、側方に前後に振れる代わりにポールに前後に振れるときに、最大になる。強磁性の弦は、それらの振動が、大幅に影響を受ける程度まで磁石によって引き寄せられてはならず、さもなければ、それらの振動は不純な音を出すことになる。その結果、特に強い磁石を用いると、比較的弱い磁石と比較して、全てのピックアップは弦から離して位置付ける必要があり、それは、等しい距離と比べて出力電圧を減少させるため、より高い出力電圧は存在しなくなる。したがって、必要以上に強い磁石に利点はない。磁石は、磁界を生成するだけなので音に影響を及ぼさない。磁界が、比較的高価なネオジム磁石、安価なフェライト磁石、または電磁石によって生成されるかによる違いはない。なお、電磁石はギターのピックアップとして一般的ではない。唯一の理論的影響要因、すなわち渦電流が存在する。渦電流は、磁束が弦の振動によって変化するときに、磁石に生成される。渦電流は、音を形成する共振ピークの減衰を増加させる。しかしここで、ほとんど導電性がないフェライト磁石は、セラミック磁石と呼ばれることが多く、より高い誘発性の感覚を作り出し、高価であるが導電性である代替のＡｌＮｉＣｏ磁石よりも優れていることは明白である。なぜなら、それらを用いると、渦電流したがって減衰を無視できるからである。しかしピックアップにおいて、磁石は通常、減衰のうちの非常に小さい要因でしかない。したがって、磁石材料についての全ての説明が正しいとは認められない。詳細には、磁石は「暖かい」または強い音を出すことはできず、すなわち磁石は周波数応答を有さない。ピックアップの「暖かい音」の理由は、常に様々である。音は、コイルの性質に大きく依存する。
【背景技術】
【０００２】
このようなピックアップの主な不利点は、電源トランス及び蛍光灯の安定器によって生成されるような低周波数磁界に、影響を受けやすいことである。磁界が変化すると、電圧はコイルに誘導される。したがって電圧も、これらの干渉場によってピックアップに誘導される。これは、１つではなく２つのピックアップを使用し、それらを直列に、すなわち反対の極性で交互に接続することによって、容易に避けることができる。これは、外部の磁界が電圧を両方のコイルに誘導する効果を有するが、これらの電圧は、コイルの逆にした極性のために互いに相殺されるため、電圧は出力に送られない。同じことが有用な信号に生じ、これはもちろん望ましくない。しかしこれは、コイルの磁石の極性を逆にすることによって、容易に修正することができる。このように、コイルは反対の極性を用いて有用な信号を生成するが、コイルの反対の極性は、信号が再び正しく回ることを意味する。したがって、１つのみのコイルの２倍の電圧が出力に現出する。このようなピックアップは、ハムバッカーまたは二重コイルピックアップと呼ばれ、通常は金属製ハウジングに囲まれる。それらは、例えばギブソンレスポールに使用され、二重コイルの２つのピックアップを伴うギブソン調性を生成する。
【０００３】
対照的に、各々に個々のコイルが装備された３つのピックアップは、所謂フレンダー調性を生成し、これらの個々のコイルのピックアップは、シングルコイルピックアップと呼ばれる。所謂二重コイルピックアップを伴うギターは、ハードロックミュージック、すなわちハードかつフルサウンドのために主に使用され、一方でフェンダー・ストラトキャスターとも呼ばれるフェンダー調性は、カントリーミュージックのために使用され、いくらか鼻音を生成する。
【０００４】
ミュージシャンは、彼らのエレキギターで様々な音を、好ましくは単一のギターで提供される音の豊かさを超える音を生成できることを、常に所望している。ギターをシングルコイルで弾くとき、例えば二重コイルピックアップに切り替えるか、またはその逆に切り替えることができることを所望する。弦の下方で交互に配置された２つのピックアップを有するギターは、例えば必要に応じて３つの位置を伴うスイッチを押圧することによって、起動することができる。スイッチの１つの位置で、前部、所謂ネックピックアップがアクティブになり、中間位置で、両方のピックアップがアクティブになり、第３の位置で、後部、所謂ブリッジピックアップのみがアクティブになる。
【０００５】
米国特許出願公開第２０１５／０２９４６５９号明細書は、ギター本体に取り付けられた回転ディスク上に、いくつかのピックアップを設置することによって、１つのピックアップから別のピックアップに変化させるための別の解決策を提案している。この回転ディスクでは、所望のピックアップを弦の下で回転させることができ、ディスクはこの位置に固着する。このシステムは、演奏中に調性を迅速に変化させることを可能にするが、調性は、回転盤上に配置された、限られたピックアップの数に限定される。
【０００６】
ギター本体またはこのような回転盤に取り付けられ、設定されたピックアップは、常に配線によってベースに接続され、かつねじ止めされており、かなりの労力をかけないと、取り外して別のピックアップと交換することができない。
【先行技術文献】
【特許文献】
【０００７】
【特許文献１】米国特許出願公開第２０１５／０２９４６５９号明細書
【発明の概要】
【発明が解決しようとする課題】
【０００８】
この背景技術を考慮し、本発明の課題は、ツール不要のピックアップ、すなわち手のみで、容易かつ迅速に３〜５秒以内で交換できるピックアップを伴うギターを作り出すこと、及び、必要に応じて多くの様々なギターに使用できるような、必要なピックアップ要素を作り出すことである。ギターの特定の設計において、少なくとも２つのピックアップを連続してオンとオフに切り替えることができることが望ましい。
【課題を解決するための手段】
【０００９】
この課題は、ギター本体の連続した凹部の中に少なくとも１つのピックアップを伴うエレキギターによって解決される。このエレキギターは、ピックアップを、ギター本体の裏から凹部に、ツールなしで最大５秒で挿入でき、その際にピックアップのコイルと凹部の接続部との間の電気接点を嵌合部内で閉じて、ケーブルを介してギター本体の出力ポートに通すこと、ならびに、ツールなしで手によって解放できるよう、ピックアップが嵌合部内に保持されること、を特徴とする。さらに、この課題は、エレキギターのピックアップ要素によって解決される。このピックアップ要素は、ピックアップの高さ調整装置のねじ山付きブッシュを伴う固定プレートと、ピックアップのベースプレートにおけるガイドピンの位置決め穴と、を有することを特徴とする。固定プレートは、関連の取り付けフレームに固定することができる。この取り付けフレームは、ギター本体の連続したピックアップの凹部に設定するよう意図され、この固定プレートのための嵌合座部を形成する。固定プレートは、ツールなしで手によって挿入でき、この取り付けフレームから再び取り外すことができる。ピックアップのオン及びオフを無限に調整可能に切り替えのため、タッチスクリーンが、特別バージョンのギターにおいてギター本体の外側に配置され、かつ電子回路がギター本体の中または上に設けられる。そのため、タッチスクリーン上で指をスライドさせることによって、個々のピックアップをある程度無限にオンまたはオフに切り替えることができる。
【００１０】
図面は、交換可能なピックアップ、ならびにそれに使用されるピックアップ要素を伴うギターの例を示す。以下の説明は、いかにピックアップ要素を挿入し取り外すか、いかに機能するか、ならびに、いかにピックアップを連続的にオン及びオフに切り替えるかを、より詳細に記載し説明する。
【図面の簡単な説明】
【００１１】
【図１】３つのピックアップ及びスイッチレバーを伴う、従来のギターを示す図である。
【図２】迅速に交換可能な３つのピックアップのための凹部を伴う、エレキギターの空のギター本体を示す図である。
【図３】ピックアップのロッド磁石装置を示す図である。
【図４】ピックアップの棒磁石アセンブリを示す図である。
【図５】交換可能なピックアップの、取り付けフレームを示す図である。
【図６】真下のベースプレートを伴うピックアップ部上の固定プレート、及びピックアップを示す図である。
【図７】ピックアップフレーム上の側部ホルダに挿入されたピックアップを示す図である。
【図８】ピックアップのための２つの凹部及び他の凹部を伴う、ギター本体を示す図である。
【図９】固定プレート及び高さ調整ねじ山を伴うピックアップの側面図である。
【図１０】固定プレート及び高さ調整ねじ山を伴うピックアップの斜視図である。
【図１１】固定プレート及び接触頭部を伴うピックアップを上から見た図である。
【図１２】２列のピックアップを伴う、代替のピックアップを示す図である。
【図１３】２つの凹部を伴うギター本体の一部、及びピックアップが挿入される前部の凹部の隣においてピックアップを上から見た図である。
【図１４】２つの凹部を伴うギター本体の一部の切り抜き、及びピックアップ要素が挿入される前部の凹部の隣において、挿入の準備ができているピックアップの下側の図である。
【図１５】ギター本体の裏から挿入されたピックアップ要素を示す図である。
【図１６】中央のねじ山付き穴を伴う、固定プレートの代替バージョンを示す図である。
【図１７】図１６に示された固定プレートを他の側から見た図である。
【図１８】取り付けフレームの代替バージョンを示す図である。
【図１９】ピックアップ部の上に載った調整ねじ山を伴うピックアップを、下から見た図である。
【図２０】固定プレートが背部を調整ねじ山の上にねじ止めされた、ピックアップ部の上に載ったピックアップを示す図である。
【図２１】４つに枝分かれした接触ワイヤを伴うピックアップ、及びそれらの隣の、ピックアップフレーム上の接点と接触する、互いから絶縁された４つの接触ピンを示す図である。
【図２２】ピックアップのための凹部及びその上を通る６本の弦を伴うギター本体を、上から見た切り抜き図である。
【図２３】ピックアップを挿入したときの、ギター本体を裏から見た切り抜き図である。
【図２４】図２３のように裏側から見た、ピックアップが挿入されたギター本体の切り抜き図である。
【発明を実施するための形態】
【００１２】
まず図１は、従来のエレキギター及びその構成要素を示す。ギター本体は、ほとんどが木材で作られた塊状体３０から構成される。ギター本体は、アンプシステムに電気信号を出力するための、接続ソケット３１を有する。ギター本体の外側下部において、２つの音調制御器３２、３３及び音量制御器３５が存在し、それらの全ては、回転ノブで設計されている。ピックアップセレクタ３４は、ここでは３つの位置を伴うスイッチレバーによって実現されている。さらに振動レバー３６が確認できる。ギター本体の弦の下方領域を覆うプレートは、衝撃保護の働きをする。ネック３９において、フレットボード４０及びフレット３８、ならびにフレットボード上のポジションインレイ３７が存在する。ネック３９の端部にはカラー４１が存在し、ネック３９からカラー４１への移行部にナット４３を伴う。カラー４１にはチューニングペグが配置される。ギター本体の後方には弦サスペンション４４が位置され、弦４８の下方にはピックアップが位置される。ここでは、高音ピックアップ４５、中音ピックアップ４６、及び低音ピックアップ４７である。これらのピックアップは、大きい労力及びツールの助けがなければ、交換することができない。それらはここで可視の表側から交換されることが多く、この目的のために弦４８を緩めなければならず、当然ながらそれは、後で新たな張力調整及びチューニングを必要とする。
【００１３】
本発明は、ピックアップを数秒以内にツールなしで交換できるギターを作り出す。この目的のため、ギター本体３には、図２に示すような少なくとも１つの連続した凹部２が設けられる。示された例において、ギター本体は３つの連続した凹部２を有する。ギター本体３の後方領域において、タッチスクリーン２５が確認できる。このタッチスクリーン２５は反応しやすく、ギター本体の様々な領域に収容された電子回路の様々な回路に影響をもたらす。タッチスクリーン２５の最後端領域で２、３秒押圧すると、ブリッジピックアップ、すなわちブリッジまたは弦サスペンションから初めの高音のためのピックアップ４５は、オンに切り替えられる。他方、タッチスクリーン２５の前端領域において、端部領域２８を数秒タッチすると、ネックピックアップすなわち低音のためにピックアップが、オンに切り替えられる。タッチスクリーン２５のこれら両端領域２６、２８の間、すなわち領域２７において、ピックアップを、連続してオン及びオフに切り替えることができる。したがって、指を後部から前部にタッチスクリーン２５の上で動かすことができ、高音は徐々に弱くなり、弦を強くつま弾くと低音はだんだんと大きくなる。反対に、指を前部から後部に動かすと、低音はゆっくりと弱くなり、高音はだんだんと強くなる。他の機能は、以下のように実現される。１本の指、好ましくは人差し指の腹で、タッチスクリーン２５の前部領域を押圧し、かつ別の指、好ましくは中指の腹でスクリーンの中間領域を押圧すると、ネックピックアップは直ちにオンに切り替えられ、ブリッジピックアップは同時に直ちにオフに切り替えられる。この方法で再びタッチスクリーン２５を押圧すると、両方のピックアップは再び起動される。すなわちブリッジピックアップは再びオンに切り替えられる。１本の指、好ましくは人差し指の腹で、タッチスクリーンの中間部領域を押圧し、かつ別の指、好ましくは中指の腹でスクリーンの後部を押圧すると、ネックピックアップは直ちにオフに切り替えられ、ブリッジピックアップは同時に直ちにオンに切り替えられる。タッチスクリーンを再びこの配列で押圧すると、ネックピックアップは再びオンに切り替えられる。ギター本体３の縁部で、ギターが演奏者の肩から演奏位置に吊り下げられたときの最下点において、ギターの出力ポートのために穴５９も確認できる。
【００１４】
図３は、ピックアップの単一ピックアップ部を示す。棒磁石４９は、巻型５０に銅線５１が巻かれている。各々１つのコイルを伴う６つの個々のピックアップを使用する代わりに、６本の棒磁石を用いてその周りに単一のコイルを巻き、材料の節約及び角度空間を小さく保持するために、段ボールまたはプラスチック製ホルダを使用して、磁石及びコイルが互いに対して動くのを防止する。単一の棒磁石の代替として、図４に示されるような１つまたは２つの棒磁石５２を使用することができる。磁界は、強磁性体の棒を伴うコイル、またはより好ましい調整ねじ５３を介して誘導され得る。この目的のため、調整ねじ５３にはソケット５４が設けられる。個々の弦の体積は、多少弦２２に近いピックアップのピックアップ部の位置決めによって、調整することができる。これは、棒磁石を伴うピックアップには不便であり、棒磁石４９を軽くたたいて弦２２から遠ざけるために使用され得る小さいハンマを用いることでしか、可能とならないことが多い。ロッド磁石４９が遠くに滑り落ちると、他の側を持ってピックアップを取り外すことが必要になることが多い。
【００１５】
ピックアップを、ツールを必要とせずギター本体３に設けられた凹部２の中に正確に嵌合するよう挿入でき、それによって迅速な交換ができるように、好ましくは、図５に示される取り付けフレーム４が凹部２の中に挿入される。取り付けフレーム４の両側において、側部ブラケット１２は、六角穴付きボルトねじ１５を用いてねじ止めされる。圧力ばね６８は、側部ホルダ１２の下でねじ１５の周りに嵌合される。側部ホルダ１２は、これらの圧縮ばね６８を圧縮させて、取り付けフレーム４にねじ止めされる。端部にカム２９を伴うこれらの側部ホルダ１２は、使用されるピックアップ上に固定プレート１４の正確な嵌合を形成する。２つの永久磁石１３は、これらの側部ホルダ１２の各々の頂部の中に挿入され、それが磁気固定プレート１４を滑り嵌合で挿入状態に保持する。一方の側部ホルダ１２は凹部５８を有し、その中に電気接点を伴う要素が挿入され、それによってこれらの接点は、各端部に窪みを形成し、その中に、挿入されるピックアップの電気取り出し部のばね装填ピンが嵌合する。ねじ１５、及び多少圧縮した埋め込み式圧縮ばね６８を調整することにより、側部ホルダ１２の位置を変えることができ、後ほど明確になるように、それによってその上に設置されるピックアップの位置も変えることができる。１つの変形として、このフレームは、単一で射出成形されたプラスチック部材、すなわちピックアップフレーム４及びその上に直接載って一体となる側部ホルダ１２として作ることができる。この場合、側部ホルダ１２の位置を変えるための圧縮ねじ６８は不要となる。
【００１６】
図６は、固定プレート１４及びその下にベースプレート８を伴うピックアップ１を、傾斜位置で示す。高さ調整装置１８は、ねじ山が付いた真鍮ロッドから構成され、この真鍮ロッドは、ベースプレート８にねじ山によって取り付けられ、その上においてゴム製ホイール５５が端部にねじ止めされる。ゴム製ホイール５５は、２本の指で容易に回すことができる。高さ調整装置１８の真鍮のねじ山１７は、固定プレート１４のねじ山付きブッシュ１６に位置される。固定プレート１４は、ベースプレート８から垂直に突出するガイドピン２０のための位置決め穴１９も有し、その上に、位置決め穴１９を伴う固定プレート１４は滑り落ちる。ゴム製ホイール５５を回すことによって、固定プレート１４とベースプレート８との間の距離を細かく調整することができる。
【００１７】
図７は、固定プレート１４を伴うピックアップ要素が、いかにして取り付けフレーム４上の嵌合座部の中に挿入されるかを示す。固定プレート１４は、４隅を出っ張り部５６に形状付けられ、これら出っ張り部５６は、取り付けフレーム４上の側部ホルダ１２のカム２９の中に正確に嵌合する。側部ホルダ１２の４つの永久磁石１３は、強磁性体の固定プレート１４を強力に引き付け、そのため固定プレート１４を嵌合部にしっかりと保持する。ねじ１５を調整することによって、挿入されたピックアップを全ての方向に多少傾けることができる。例えば、ピックアップから低音の弦及び高音の弦までの距離を、それぞれ調整することができる。フレームがプラスチックで作られている場合、固定プレート１４も、フレームに正確に嵌合する、射出成形によるプラスチック部材とすることができる。次に固定プレート１４は端部カム２９間のフレームの中に正確に嵌合し、永久磁石１３によってこの嵌合部に保持される。
【００１８】
図８は、ピックアップ１のための２つの凹部２を伴うギター本体３、ならびに電子回路６４及び電力を供給するバッテリ６５を収納する、別の凹部６３を示す。側方にずらされた凹部６６は、動作ディスプレイを収納する働きをし、タッチスクリーン２５が挿入される。ギター本体に沿って見える、ねじ止めされたゴム製ホイール５７は、カバーを設置するためのホルダの働きをする。前部の凹部２において、挿入されたネックピックアップが確認でき、後部の凹部２において、側部ホルダ１２を伴う、埋め込まれた取り付けフレーム４が確認できる。取り付けフレーム４の設定のため、凹部の内壁に段差が形成され、それによって外周の座面が取り付けフレーム４のために形成され、その上に取り付けフレーム４を、例えば接着させることができる。側部ホルダのうちの一方において、電気接点５が確認でき、その各々は窪み２４を形成する。この接点５は、ケーブルを介してギター本体３の出力ポートに通じる。
【００１９】
図９は、ねじ山付きブッシュ１６のねじ山１７によって、固定プレート１４と共に高さ調整装置１８の上にねじ止めされた、ピックアップ１を示す。コイル、コイルボビン、及びピックアップ１のピックアップ部は、クロムめっきシート材料のハウジング６０に収容かつ配線される。固定プレート１４において、ピックアップ１に向けられた、固定プレート１４から突出するばね装填ピン２３は、ピックアップ１からの電気取り出し部として配置される。これらのピン２３は、電気接続を安全に閉じるために、サイドブラケット１２の接点５における窪み２４の中に嵌合する。ピン２３は、ケーブル５７を介してピックアップ１の対応するピックアップ部のコイルに配線される。
【００２０】
図１０において、ピックアップ１は、ベースプレートからの距離を調整することができる固定プレート１４を伴い、クロムメッキされたシートの金属製ハウジング６０と共に、見る人に向けて傾けて示される。この例示において、ピックアップ１の上側に６つのピックアップ２１が確認でき、図１１において、ピックアップ１及びそのハウジング６０が、上から見たところを示される。したがって、ここでは、６つのピックアップ２１、及びピックアップ１の下で、ピックアップ１またはそのコイルの電気出力１０のための、４つの接触ピン２３を伴う固定プレート１４が確認できる。次に図１２は、２列のピックアップ２１を伴う、代替のピックアップ１を示す図である。
【００２１】
図１３は、２つの凹部２を伴うギター本体３の裏側６の一部、及び前部の凹部２の隣に、挿入されることになるピックアップ１を示す。ピックアップ１は、ピックアップ２１を上側に、かつその固定プレート１４を下側にして、固定プレート１４は、その高さ調整装置１８の上にねじ止めされている。ツールなしで挿入できるピックアップ要素は、ここでは一方の側、すなわち側方から見た斜視図で示され、そのためピックアップ２１を伴うピックアップ１の上側も見ることができる。凹部２において、側部ホルダ１２を伴うピックアップフレーム４、及び形成された窪み２４を伴う接点５が確認できる。最底部において、凹部２及びギター本体３の下方で、弦２２が通っている。
【００２２】
図１４は、２つの凹部２を伴うギター本体３、及び前部の凹部の隣に挿入されることになるピックアップ１を示す。ピックアップ１は、高さ調整装置１８の上にねじ止めされた固定プレート１４、及びその真鍮のねじ山を回してピックアップ１の固定プレート１４からベースプレート８までの距離を調整するための、高さ調整装置１８の端部のゴム製ホイール５５を伴う。ケーブル５７は、コイルハンガーを固定プレート１４上のばね装填ピン２３に接続する。ばね装填ピン２３は、固定プレート１４から下向きに突出して図に示される。
【００２３】
図１５は、いかにしてピックアップ１が、ギター本体３の裏側６からギター本体３の凹部２の中に挿入されるかを示す。ここでは、取り付けフレーム４及び固定プレート１４は示されない。親指及び人差し指でピックアップ１の高さ調整装置１８を保持し、凹部２の中に挿入する。ピックアップ１に固定プレート１４が装備され、凹部に取り付けフレーム４が嵌合されたとき、固定プレート１４は取り付けフレーム４の嵌合座部に正確に位置付けられ、側部ホルダ１２の永久磁石１３によってしっかりと保持される。固定プレート１４のばね装填ピン２３は、側部ホルダ１２上の電気接点５の窪み２４に自動的に押圧され、それによってピックアップのコイルとエレキギターの出力ポート７との間の、確実な電気接続が実現される。
【００２４】
図１６は、中央のねじ山付き穴１６を伴う、固定プレート１４の代替バージョンを示す。この固定プレート１４は、その側部に永久磁石１３を有する。図１７は、図１６に示された固定プレート１４を別の側から示し、図１８は、この固定プレート１４に属する取り付けフレーム４を、その側壁６７が上向きに突出しているところを示す。固定プレート１４は、これら側壁６７間に挿入することができ、次に対向する永久磁石１３の磁力によって所定の位置にしっかりと保持される。取り付けフレーム４の一方の側壁６７におけるスロット６１は、ギターの出力ポートへの電気接点５を有する、プラスチック製挿入要素を収納するために使用される。固定プレート１４上のピックアップの電気取り出し部と、取り付けフレーム４の側壁におけるこれらの接点５との間の電気接続は、ピン２３によって成される。ピン２３の頭部は、固定プレート１４の縁部を僅かに越えて突出する。固定プレート１４が挿入されたとき、これらのピン２３は、接点５の上を摺動し、電気接続を実現する。しかし、ピックアップは、ツールなしで十分な力を用いて、いつでも固定プレート１４を伴う取り付けフレーム４から迅速に取り外すことができる。ピックアップは、高さ調整装置１８で掴まれ、単に取り付けフレーム４から引き抜くことで、凹部２から外される。
【００２５】
図１９は、高さ調整装置１８及びその調整ねじ山を伴うピックアップ１を、下から見たところ、すなわち落とし込み位置でピックアップ２１の頭部に置かれているところを示す。ピックアップ１の下側において、そのベースプレート８が確認でき、一方でコイル、ボビン、及びピックアップは、ケース６０に収納される。このコイルから、電気取り出し部は、ケーブル５７を介して固定プレート１４におけるピン２３の電気接点１０に通じる。
【００２６】
図２０は、ピックアップ１及びピックアップ上の傾いた位置に置かれたピックアップ１のハウジング６０を示す。固定プレート１４は、その裏側が、高さ調整装置１８の真鍮のねじ山の上にねじ止めされる。ここで、図１８による取り付けフレーム４の側壁６７に保持するための永久磁石１３、及び挿入要素に埋め込まれた円形頭部のピン２３が確認できる。挿入要素の頭部は、固定プレート１４の側壁から僅かに突出する。図２１は、ピックアップ１のコイルからの４本の電気取り出し部１０を示す。電気取り出し部１０は、次にこの挿入要素の絶縁ピン２３に接続される。
【００２７】
図２２は、ピックアップのための凹部２及びその上を通る６本の弦２２を伴うギター本体３を、表側９から見た切り抜きを示す。ケーブルを介してギター本体３の出力ポートに通じる、窪み２４を伴う電気接点５を有する側壁６７の一方のみ、及びこの側壁６７における永久磁石１３が、取り付けフレームから確認できる。図２３は、同じ切り抜き部をギター本体３の裏側６から示す。この上のアルミニウム製サポート６２は、ギターの安定性、特に弦の緊張の吸収をもたらす。ピックアップ要素１は、ここでは固定プレート１４を掴んで、取り付けフレーム４における２つの側壁６７間に挿入することによって、ギター本体３の裏６から真っ直ぐに挿入される。固定プレート１４及び側壁６７における永久磁石は直ぐに互いに面し、固定プレート１４をこの位置に保持する。図２４は、ピックアップ要素１が完全に挿入され、固定プレート１４の永久磁石１３が、取り付けフレーム４の側壁６７における永久磁石と対向したときの状況を示す。
【００２８】
ピックアップ要素を磁気によって取り付ける代わりに、ピックアップ要素を、例えば機械的ばね力に対抗して、凹部２における固定プレート１４を単純に機械的に歯止めにクリック止めするよう、及びこのばね力が、十分な力で固定プレート１４から引き抜かなければ超えられないよう、または歯止めがボタンを押圧するか、スライダを起動させるか、またはノブを回すことで解放できるよう、設計することもできる。ピックアップ要素は、ギター本体の裏から、機械的圧力ばねに対抗して、凹部の中に押し込むことによって、機械的に凹部の中に保持させることもできる。次にスライダまたは回転盤を、裏において固定プレートの上に押し込むか、または回転させる。その後ピックアップ要素またはその固定プレート１４は、その嵌合位置にしっかりと固定される。
【００２９】
示された方法で、凹部２の中にギター本体３の裏側６から挿入することができる、このようなピックアップ要素を用いると、異なる音調及び調性を生成するためのピックアップ１の交換が、非常に容易かつ迅速になる。裏のカバープレートは、気を配る必要なく、凹部２に挿入されたピックアップを残す。実用試験は、ピックアップ１を交換するために、３〜５秒しかかからないことを示した。加えて、ピックアップと弦２２との間の距離は、高さ調整装置１８のゴム製ホイール５５を回すことによって調整できる。
【符号の説明】
【００３０】
１  ピックアップトラック
２  凹部
３  ギター本体
４  取り付けフレーム
５  出力ポートへの、取り付けフレームまたはサイドブラケットにおける接点
６  ギター本体の裏
７  ギター本体の出力ポート
８  ピックアップのベースプレート
９  ギター本体の表
１０  ピックアップの電気取り出し部
１１  ピックアップのコイル
１２  取り付けフレームの側部ホルダ
１３  永久磁石
１４  固定プレート
１５  取り付けフレームのねじ
１６  ねじ山付きブッシュ
１７  ピックアップの高さ調整装置のねじ山
１８  高さ調整装置
１９  固定プレートの位置決め穴
２０  ベースプレート８のガイドピン
２１  ピックアップ
２２  弦
２３  固定プレートのばね装填ピン
２４  ピン２３のための窪み
２５  タッチスクリーン
２６  ブリッジピックアップのオン／オフボタン
２７  ブリッジピックアップとネックピックアップとの間の混合ボタン
２８  ネックピックアップのためのオン／オフボタン
２９  パスポート座部のカム
３０  中実体
３１  接続ソケット
３２  音調制御器
３３  音調制御器
３４  ピックアップセレクタスイッチ
３５  音量制御器
３６  振動レベル
３７  ポジション挿入
３８  フェデレーション
３９  ネック
４０  指板
４１  カラー
４２  チューニングペグ
４３  サドル
４４  弦サスペンション
４５  高音ピックアップ
４６  中音ピックアップ
４７  低音ピックアップ
４８  弦
４９  ロッド磁石
５０  コイル巻型
５１  巻線／コイル
５２  棒磁石
５３  調整ねじ
５４  調整ねじのソケット
５５  高さ調整装置のゴム製ホイール
５６  固定プレートの角の出っ張り部
５７  ピックアップコイルから固定プレートのピンまでのケーブル
５８  接点のために凹部
５９  出力ポートを挿入するための穴
６０  ピックアップハウジング
６１  電気接点を伴う挿入要素のスロット
６２  弦の緊張を吸収するためのスチール製サポート
６３  電子回路のための凹部
６４  電子スイッチ
６５  電子回路のためのバッテリ
６６  タッチスクリーンを収容するための凹部
６７  取り付けフレーム４の側部パネル
６８  圧力ばね
【図１】
2021510423.tif 000003
【図２】
2021510423.tif 000004
【図３】
2021510423.tif 000005
【図４】
2021510423.tif 000006
【図５】
2021510423.tif 000007
【図６】
2021510423.tif 000008
【図７】
2021510423.tif 000009
【図８】
2021510423.tif 000010
【図９】
2021510423.tif 000011
【図１０】
2021510423.tif 000012
【図１１】
2021510423.tif 000013
【図１２】
2021510423.tif 000014
【図１３】
2021510423.tif 000015
【図１４】
2021510423.tif 000016
【図１５】
2021510423.tif 000017
【図１６】
2021510423.tif 000018
【図１７】
2021510423.tif 000019
【図１８】
2021510423.tif 000020
【図１９】
2021510423.tif 000021
【図２０】
2021510423.tif 000022
【図２１】
2021510423.tif 000023
【図２２】
2021510423.tif 000024
【図２３】
2021510423.tif 000025
【図２４】
2021510423.tif 000026
【手続補正書】
【提出日】令和1年6月12日(2019.6.12)
【手続補正１】
【補正対象書類名】特許請求の範囲
【補正対象項目名】全文
【補正方法】変更
【補正の内容】
【特許請求の範囲】
【請求項１】
ギター本体（３）の連続した凹部（２）の中に少なくとも１つのピックアップ（１）を伴うエレキギターであって、前記ピックアップ（１）を、ツールを使用しないで前記ギター本体（３）の裏から前記凹部（２）に挿入することができ、嵌合部の中で前記ピックアップ（１）のコイルと前記凹部の端子との間の電気接触を閉じ、ケーブルを介して前記ギター本体（３）の出力ポート（７）に通じ、前記ピックアップ（１）は、ツールなしで嵌合座部の中に挿入し、嵌合座部の中から取り出すことができ、少なくとも１つの永久磁石によって前記嵌合座部に保持されるか、機械式のばね装填掛止デバイスによって保持されるか、前記凹部（２）の上に部分的に押し込まれ得る機械式スライダによって保持されるか、または前記凹部（２）の上に部分的に枢動され得る回転盤によって保持され、
ここで、前記ピックアップ（１）は、前記凹部（２）に配置された受け入れフレーム（４）に設定することができ、ケーブルを介して前記ギター本体（３）の前記出力ポート（７）に通じる電気接点（５）を有し、前記ピックアップ（１）は、その裏側にベースプレート（８）、及びその上の固定プレート（１４）を有し、前記固定プレート（１４）は、正確な嵌合で前記受け入れフレーム（４）に挿入することができ、その中に磁気によって保持され、前記ベースプレート（８）と前記固定プレート（１４）との間の距離は、前記ピックアップ（１）が設定されるときに細かく調整可能で、前記ピックアップ（１）が挿入状態にあるとき、前記ピックアップ（１）のコイル（１１）の各々の電気取り出し部（１０）は、前記固定プレート（１４）のばね装填ピン（２３）を介して前記受け入れフレーム（４）の接点（５）を用いて電気接触を閉じることを特徴とする、ギター本体（３）上の連続した凹部（２）の中に少なくとも１つのピックアップ（１）を伴う、エレキギター。
【請求項２】
前記受け入れフレーム（４）は、両端側の各々に側部ホルダ（１２）を形成し、前記側部ホルダ（１２）は、磁気固定プレート（１４）のために機械式嵌合座部を形成して、挿入された前記磁気固定プレート（１４）を保持するための永久磁石（１３）が装備され、一方の前記側部ホルダ（１２）には、ケーブルを介して前記ギター本体（３）の前記出力ポート（７）に接続される電気接点（５）が装備され、前記ピックアップ（１）の前記コイル（１１）の各々における前記電気取り出し部（１０）は、前記固定プレート（１４）の前記ばね装填ピン（２３）に通じ、前記ばね装填ピン（２３）の各々は、ピックアップフレーム（４）の前記側部ホルダ（１２）における前記電気接点（５）を用いて電気接触を閉じることを特徴とする、請求項１に記載のギター本体（３）の連続した凹部（２）の中に少なくとも１つのピックアップ（１）を伴うエレキギター。
【請求項３】
前記受け入れフレーム（４）の各両側は、２つのねじ（１５）でねじ止めされた側部ホルダ（１２）を含み、各側で２つの前記ねじ（１５）が前記側部ホルダ（１２）の端部領域を貫通すること、前記側部ホルダ（１２）は、磁気固定プレート（１４）の機械式嵌合座部を形成し、各前記側部ホルダ（１２）には、挿入された前記磁気固定プレート（１４）を保持するための２つの永久磁石（１３）が装備されること、及び、２つの前記側部ホルダ（１２）のうちの一方には電気接点（５）が設けられ、前記電気接点（５）はケーブルを介して前記ギター本体（３）の前記出力ポート（７）に接続され、前記ピックアップ（１）の前記コイル（１１）における各々の前記電気取り出し部（１０）は、前記固定プレート（１４）のばね装填ピン（２３）に通じ、前記ばね装填ピン（２３）の各々は、前記ピックアップ（１）が挿入されると、前記受け入れフレーム（４）の前記側部ホルダ（１２）における前記電気接点（５）を用いて電気接触を閉じること、を特徴とする、請求項１または２に記載のギター本体（３）の連続した凹部（２）の中に少なくとも１つのピックアップ（１）を伴うエレキギター。
【請求項４】
前記固定プレート（１４）の前記ベースプレート（８）は、ねじ山付きブッシュ（１６）を有する前記固定プレート（１４）によって、前記ピックアップ（１）から変化する距離で前記ピックアップ（１）の前記ベースプレート（８）に接続され、それによって前記ピックアップ（１）の高さ調整装置（１８）のねじ山（１７）の上にねじ止めすることができること、及び、前記固定プレート（１４）は、垂直に突出するよう前記ベースプレート（８）に装着されたガイドピン（２０）のための受け入れ穴（１９）を有し、それによって前記高さ調整装置（１８）が前記固定プレート（１４）の自由側で回転されるとき、前記固定プレート（１４）と前記ベースプレート（８）したがって前記ピックアップ（１）との間の距離は細かく調整することができ、それによって前記エレキギターの弦（２２）から前記ピックアップ（１）のピックアップ（２１）までの距離を変化させることができること、を特徴とする、請求項１〜３のうちいずれか一項に記載のギター本体（３）の連続した凹部（２）の中に少なくとも１つのピックアップ（１）を伴うエレキギター。
【請求項５】
前記ピックアップ（１）の前記コイル（１１）の前記電気取り出し部（１０）は、前記固定プレート（１４）を介してピックアップフレーム（４）における接点（５）を用いて電気接触を閉じること、４つのばね装填ピン（２３）は、前記固定プレート（１４）に配置され、そこから直角に突出して離れ、前記固定プレート（１４）が前記受け入れフレーム（４）またはその側部ホルダ（１２）に設置されると、４つの前記ばね装填ピン（２３）は接点（５）の中に嵌合し、前記電気接点（５）と組み合わされて、前記電気接点（５）の各々は前記ばね装填ピン（２３）を受け入れるための窪み（２４）を形成すること、を特徴とする、請求項１〜４のうちいずれか一項に記載のギター本体（３）の連続した凹部（２）の中に少なくとも１つのピックアップ（１）を伴うエレキギター。
【請求項６】
フレームは、プラスチックで作られた単一の射出成形部材として設計され、すなわち前記受け入れフレーム（４）、ならびに、その上に直接載る側部ホルダ（１２）、及びその上に設置される前記固定プレート（１４）もプラスチックの射出成形部材であり、それは前記フレームの中に正確に嵌合し、端部カム（２９）間の前記フレームに正確に嵌合し、前記嵌合部に永久磁石（１３）によって保持されることを特徴とする、請求項１〜５のうちいずれか一項に記載のギター本体（３）の連続した凹部（２）の中に少なくとも１つのピックアップ（１）を伴うエレキギター。
【請求項７】
前記ギター本体（３）は、ピックアップ（１）を挿入するための２つまたは３つの凹部（２）を有し、タッチスクリーン（２５）は前記ギター本体（３）の表側（９）に配置されること、及び電子回路（６４）が前記ギター本体（３）の中または上に存在し、それによって指を前記タッチスクリーン（２５）上で、より大きくまたはより小さく動かすことによって、個々の前記ピックアップ（１）、すなわちブリッジピックアップと、存在する場合は中間位置ピックアップと、ネックピックアップとを、連続してオンまたはオフに切り替えられることを特徴とする、請求項１〜６のうちいずれか一項に記載のギター本体（３）の連続した凹部（２）の中に少なくとも１つのピックアップ（１）を伴うエレキギター。
【請求項８】
前記ギター本体（３）は、ピックアップ（１）を挿入するための２つまたは３つの凹部（２）を有し、タッチスクリーン（２５）は前記ギター本体（３）の表（９）に配置されること、ならびに電子回路（６４）が前記ギター本体（３）の中または上に存在し、それによって前領域及び中間部で同時に前記タッチスクリーン（２５）に触れることによって、ネックピックアップを直ちにオンに切り替え、かつ同時にブリッジピックアップをオフに切り替え、この配列で再び触れると、前記ブリッジピックアップは再びオンに切り替えられ、逆に同時に前記タッチスクリーン（２５）の中間部及び後領域を触れると、前記ブリッジピックアップは直ちにオンに切り替えられ、かつ同時に前記ネックピックアップはオフに切り替えられ、再びこの配列で触れると、前記ネックピックアップは再びオンに切り替えられることを特徴とする、請求項１〜７のうちいずれか一項に記載のギター本体（３）の連続した凹部（２）の中に少なくとも１つのピックアップ（１）を伴うエレキギター。
【請求項９】
請求項１〜８のうちいずれか一項に記載のエレキギターのための、ピックアップ要素であって、前記ピックアップ（１）の前記高さ調整装置（１８）のねじ山付きブッシュ（１６）と、前記ピックアップ（１）の前記ベースプレート（８）の前記ガイドピン（２０）のための受け入れ穴（１９）と、を伴う固定プレート（１４）を有し、前記固定プレート（１４）は、関連する受け入れフレーム（４）に、ツールなしで手によって挿入可能で、前記受け入れフレーム（４）は、ギター本体（３）の連続したピックアップ凹部（２）に裏側（６）から設定するよう意図され、前記固定プレート（１４）のための嵌合座部を形成し、ツールなしで再び前記受け入れフレーム（４）から解放できることを特徴とする、ピックアップ要素。
【請求項１０】
前記ピックアップ（１）の前記高さ調整装置（１８）のねじ山付きブッシュ（１６）と、前記ピックアップ（１）の前記ベースプレート（８）における前記ガイドピン（２０）のための受け入れ穴（１９）と、を伴う強磁性体の固定プレート（１４）を備え、前記固定プレート（１４）は、前記ピックアップ（１）の前記コイルに電気的に接続された、ばね装填ピン（２３）を有し、前記ピックアップ要素は、ねじ止めされた側部ホルダ（１２）を伴う関連の受け入れフレーム（４）をさらに含み、前記側部ホルダ（１２）の各々には２つの永久磁石（１３）が装備され、強磁性体の前記固定プレート（１４）のための嵌合座部を形成すること、強磁性体の前記固定プレート（１４）を伴う前記ピックアップ（１）を、ツールなしで手によって前記嵌合座部の中に挿入し、その中に磁気によって保持され、そうすることで前記ばね装填ピン（２３）は、前記側部ホルダ（１２）の前記電気接点（５）を用いて電気接触を閉じること、ならびに前記ピックアップ（１）を伴う前記固定プレート（１４）は、ツールなしで前記嵌合座部から解放され得ること、を特徴とする、請求項１〜８のうちいずれか一項に記載のエレキギターのための、請求項９に記載のピックアップ要素。
【請求項１１】
２つの側部ホルダ（１２）は、前記受け入れフレーム（４）上に支持された圧力ばね（６８）を用いて、前記受け入れフレーム（４）にねじ止めされ、それによってねじ（１５）を調整することによって、前記側部ホルダ（１２）の前記受け入れフレーム（４）に対する位置を調整することで、挿入された前記ピックアップ（１）の傾斜、したがってピックアップ（２１）からの様々な弦（２２）までの距離を調整できることを特徴とする、請求項２〜８のうちのいずれか一項に記載のエレキギターのための、請求項９または１０に記載のピックアップ要素。
【国際調査報告】
2021510423.tif 000027
2021510423.tif 000028
2021510423.tif 000029
2021510423.tif 000030
2021510423.tif 000031